(57)【要約】【課題】接着テープを支持しながら接着テープを所望寸法に切断可能にした長さ計測用の寸法計測表示部を備えた接着テープカッタ装置を提供する。【解決手段】リール状に巻回されたれた接着テープＴを引き出した状態で切断する切断刃１４を有する接着テープカッタ装置１０において、接着テープカッタ装置１０の支持本体１２の正面板１５，背面板１６よりそれぞれ突出する前記回転体１１の中心軸１１ａに手動による回転が可能に且つ渋み状態に装着された前記接着テープＴの引き出し長さを測定する計測表示針２０と、前記正面板，背面板の外面に長さ計測用の寸法計測表示部２１を設けて、前記接着テープの引き出し寸法を計測することを可能にすると共に、仮止部材１３は前記正面板，背面板の前記左，右側先端位置のいずれか一方に装着自在に設置可能にした。【選択図】    図１
0003155757.tif 000002
【実用新案登録請求の範囲】
【請求項１】
リール状に巻回されたれた接着テープを装着して共に回転する回転体と、この回転体を回転自在に支持する支持本体と、引出された前記接着テープの巻き戻しを防止するための前記接着テープの粘着面に接触する仮止部材と、この仮止部材に仮止めされた前記接着テープを引き出した状態で切断する切断刃とを有する接着テープカッタ装置において、
前記支持本体の正面板，背面板よりそれぞれ突出する前記回転体の中心軸に手動による回転が可能に且つ渋み状態に装着された前記接着テープの引き出し長さを測定する計測表示針と、前記正面板，背面板の外面に長さ計測用の寸法計測表示部を設けて、前記接着テープの引き出し寸法を計測することを可能にすると共に、前記仮止部材は前記正面板，背面板の前記左，右側先端位置のいずれか一方に装着自在に設置可能にしたことを特徴とする接着テープカッタ装置。
【請求項２】
前記正面板，背面板の外面に記載した長さ計測用の寸法計測表示部は、接着テープの使用寸法を図形で表示した寸法計測表示部であることを特徴とする前記請求項１に記載の接着テープカッタ装置。
【請求項３】
仮止部材は、前記正面板，背面板の左右両端の内面に形成したそれぞれ形成された凹溝のいずれか一方に、両縁に全長に亘り形成した凸条をスライド可能に係合することで装着位置の変更を可能にしたことを特徴とする請求項１又は２に記載の接着テープカッタ装置。
【請求項４】
前記接着テープを装着させて共に回転する回転体、該回転体を支持する前記支持本体並びに前記仮止部材は、切断刃を除き全て木製によって形成されたものであることを特徴とする請求項１記載の接着テープカッタ装置。
【請求項５】
前記正面板，背面側板外面に記載した長さ計測用の寸法計測表示部は、円形状に記載した定規部であることを特徴とする請求項２に記載の接着テープカッタ装置。
【考案の詳細な説明】
【技術分野】
【０００１】
本考案は、接着テープを支持しながら接着テープを所望寸法に切断可能にした長さ計測用の寸法計測表示部を備えた接着テープカッタ装置に関する。
【背景技術】
【０００２】
従来、リール状に巻回されたれ接着テープを回転させる回転体を支持する支持本体と、引出された前記接着テープの巻き戻しを防止するための前記接着テープの粘着面に接触する仮止部材と、この仮止め部材に仮止めされた前記接着テープの先端部に位置し前記接着テープを切断する切断刃とを有する接着テープカッタ装置が開発されて使用に供されている。
【０００３】
そして、従来リール状に巻回されたれ接着テープの使用時においては、仮止部材に仮止された接着テープの先端部を手に持って仮止部より剥がし使用寸法に見合った長さを目分量によって接着テープを外方に引き出し、切断刃によって切断して使用するようになっている。
【先行技術文献】
【特許文献】
【０００４】
【特許文献１】特開２００８−９４６１３号公報
【特許文献２】特開平１０−４４０８７号公報
【特許文献３】特開平１０−４４０８８号公報
【考案の概要】
【考案が解決しようとする課題】
【０００５】
上述のような従来のリール状に巻回されたれ接着テープの使用時においては、仮止部材に仮止された接着テープの先端部を手に持って使用寸法に見合った長さを巻回部より目分量で引き出し、切断刃によって切断して使用するようになっているが、切断した接着テープの使用寸法が所要の使用寸法より長かったり、短かったりと一定しないため適切な長さ寸法の接着テープが得られないとう問題点があった。
【０００６】
したがって、引き出し接着テープが長い場合は接着テープが無駄になったり、
短かった場合は接着テープを仮止部材より再度引き出して切断して使用しなければならず接着テープの接着状態の見栄えが悪くなったり、作業が面倒であった。
【０００７】
又、従来の接着テープ切断装置にあっては、リール状に巻回されたれた接着テープを装着して共に回転する回転体を回転自在に支持する支持本体に対し、接着テープの粘着面を仮止する仮止部材は一体に形成されているため、右利用と左利用の使用者に対して接着テープ切断装置全体を反転移動させなければならず、簡単に対応できない構成となっており使い勝手がよくないなどの不具合がある。
【０００８】
本考案は、上記のような従来の問題を解決するためになされたもので、切断する接着テープの使用寸法が使用目的寸法に見合った長さ寸法に切断可能で、且つ接着テープ切断装置の使い勝手を改善した接着テープ切断装置を提供することを目的とする。
【課題を解決するための手段】
【０００９】
上記目的を達成するために請求項１の考案は、リール状に巻回されたれた接着テープを装着して共に回転する回転体と、この回転体を回転自在に支持する支持本体と、引出された前記接着テープの巻き戻しを防止するための前記接着テープの粘着面に接触する仮止部材と、この仮止部材に仮止めされた前記接着テープを引き出した状態で切断する切断刃とを有する接着テープカッタ装置において、前記支持本体の正面板，背面板よりそれぞれ突出する前記回転体の中心軸に手動による回転が可能に且つ渋み状態に装着された前記接着テープの引き出し長さを測定する計測表示針と、前記正面板，背面板の外面に長さ計測用の寸法計測表示部を設けて、前記接着テープの引き出し寸法を計測することを可能にすると共に、前記仮止部材は前記正面板，背面板の前記左，右側先端位置のいずれか一方に装着自在に設置可能にしたことを特徴とする。
【００１０】
請求項２の考案は、請求項１記載の接着テープカッタ装置において、前記正面板，背面板の外面に記載した長さ計測用の寸法計測表示部は、接着テープの使用寸法を図形で表示した寸法計測表示部であることを特徴とする。
【００１１】
請求項３の考案は、請求項１又は２に記載の接着テープカッタ装置において、仮止部材は、前記正面板，背面板の左右両端の内面に形成したそれぞれ形成された凹溝のいずれか一方に、両縁に全長に亘り形成した凸条をスライド可能に係合することで装着位置の変更を可能にしたことを特徴とする。
【００１２】
請求項４の考案は、請求項１に記載の接着テープカッタ装置において、前記接着テープを装着させて共に回転する回転体、該回転体を支持する前記支持本体並びに前記仮止部材は、切断刃を除き全て木製によって形成されたものであることを特徴とする。
請求項５の考案は、請求項２に記載の接着テープカッタ装置において、前記正面板，背面側板外面に記載した長さ計測用の寸法計測表示部は、円形状に記載した定規部であることを特徴とする。
【考案の効果】
【００１３】
本考案にかかる接着テープ切断装置は、前記支持本体の正面板，背面板よりそれぞれ突出する前記回転体の中心軸に手動による回転が可能に、且つ渋み状態に装着された前記接着テープの引き出し長さを測定する計測表示針と、前記正面板，背面板の外面に長さ計測用の寸法計測表示部を設けて、前記接着テープの引き出し寸法を計測することが可能となっているので、リール状に巻回されたれ接着テープの使用時においては、仮止部材に仮止された接着テープの先端部を手に持って計測表示針を参考にして使用寸法に見合った接着テープの長さを引き出し、切断刃によって切断して使用することができるので、切断された接着テープが長かったり、短かったりするような不具合が解消できると共に接着テープの無駄使いをなくすることができ、更に接着テープの展着した使用状態の見栄えが悪くなったりすることを防ぎ、且つ取り扱い作業が容易な接着テープ切断装置を提供できる。
【００１４】
又、接着テープカッタ装置において、仮止部材は、前記前記正面板，背面板の左右両端の内面に形成したそれぞれ形成された凹溝のいずれか一方に、両縁に全長に亘り形成した凸条をスライド可能に係合することで装着位置の変更を可能にしたことで、右利用、左利用の使用者に容易に対応することができるので、使い勝手が向上できるという利点がある。
【図面の簡単な説明】
【００１５】
【図１】本考案の実施の形態１における接着テープ切断装置の全体の構成を示す斜視図。
【図２】本考案の実施の形態１における接着テープ切断装置の分解図。
【図３】本考案の実施の形態１における接着テープ切断装置の正面図。
【図４】本考案の実施の形態１における接着テープ切断装置の右側面図。
【図５】本考案の実施の形態１における接着テープ切断装置における仮止部材の取り付け位置を変更した状態の正面図。
【図６】本考案の実施の形態１における接着テープ切断装置の変形例を示す正面図である。
【考案を実施するための最良の形態】
【００１６】
次に、本考案にかかる接着テープ切断装置の実施の形態について、図面を参照して説明する。なお、本考案の接着テープ切断装置は、以下に説明する実施の形態に限定されるものではない。
【００１７】
本実施の形態における接着テープ切断装置１０は、図１〜図４に示すように、リール状に捲いた接着テープを装着する木製の回転体１１（直径がほぼ７．５ｃｍ）が回転可能に設置される支持本体１２と、前記支持本体１２の左側部１２ａ及び右側部１２ｂのいずれか一方に装着可能な木製の仮止部材１３を備えると共に、前記仮止部材１３の先端上部面部には切欠き湾曲部１３ａが形成され、更にその端部には接着テープＴの粘着部が仮止される平坦部１４ａと切断刃１４が配置された構成となっている。
【００１８】
前記支持本体１２は、ほぼ矩形状の木製の板材からなる正面板１５と同形の背面板１６を所定（例えば３ｃｍ）幅の底板１７を介して正面側，背面側に対応立設して構成されたものである。また、前記正面板１５と同形の背面板１６の左右中央部にはそれぞれ上部から下部にかけて形成したＵ字状の切欠部１８が形成されており、前記切欠部１８の端末部１８ａには前記リール状に捲いた接着テープＴを装着する前記木製の回転体１１の中心軸１１ａが回転可能に装着されるようになっている。
【００１９】
また、前記正面板１５と同形の背面板１６の左，右端部近傍の対応内面には上部から下部にかけてそれぞれ凹溝１９が形成されており、後述の仮止部材１３の端部１３ｂがスライド自在に装着可能となっている。
【００２０】
前記木製の回転体１１の中心部には、前記Ｕ字状の切欠部１８に回転可能に枢支され、前記正面板１５と同形の背面板１６の表面側に僅かに突出する突出部を備えた中心軸１１ａが設けられており、前記中心軸１１ａの先端の突出部には中心軸１１ａと同期する皮製の計測表示針２０が、手動によって回動可能に且つ渋み状態を保って装着されている。
【００２１】
前記皮製の計測表示針２０の先端は、接着テープＴの引き出しによる回転と同期して前記正面板外面１５ａ，背面板外面１６ａに記載した長さ計測用の寸法計測表示部２１を指し示すようになっており、前記接着テープＴの引き出し寸法を計測することを可能にする。
【００２２】
上記のように構成された本考案の接着テープ切断装置は、その使用においては、市販のリール状に巻回された接着テープＴを、前記支持本体１２より取り外した回転体１１に装着して前記支持本体１２のＵ字状の切欠部１８に回転軸１１ａを回転可能に装着する。そして前記正面板外面１５ａ，背面板外面１６ａより外方に突出した前記中心軸１１ａの先端の突出部に中心軸１１ａと同期して回転する皮製の計測表示針２０を、手動によって回動可能に且つ渋み状態を保って装着する。
【００２３】
次に、支持本体１２の右側端部の凹溝１９に仮止部材１３の端部凸部１３ｂをスライドさせて取り付ける。図１における取り付け状態は右利使用者用の取り付け状態である。
【００２４】
更に、前記回転体１１に装着した接着テープＴの端部を引き出しその先端部を前記仮止部材１３の平坦部１４ａと切断部１４に仮止めする。そして、前記回転体１１の中心軸１１ａの突出部に装着した計測表示針２０を手動によって、前記Ｕ字状の切欠部１８の中央部に矢印の先端を上方に位置するように回動させて使用の準備が完了する。
【００２５】
上記のように構成された接着テープカッタ装置は、使用時にあっては、前記仮止部材１３の平坦部１４ａと切断刃１４に仮止めした接着テープＴを剥がして引き出すことで、回転体１１の中心軸１１ａに装着した計測表示針２０も同期して時計周りに回転し、正面板１５の表面部１５ａに記載した所望の計測表示部２１の位置を指し示した位置で、接着テープＴを切断刃１４によって切断することで、所望長さの接着テープＴを使用することができる。
【００２６】
なお、正面板１５の表面部１５ａに記載した所望の計測表示部２１は、それぞれ封書部の異なる〒ＪＩＳの定形郵便物の図形からなる計測表示部２１を描いて示したが、図６の変形例に示すように、正面板１５の表面部１５ａに記載した所望の計測表示部２１を回転体に接着テープＴを装着した状態の外形輪とほぼ同一直径（ほぼ９．５ｃｍ）の回転体に寸法を記載した計測測定部２１としてもよいことは勿論である。
【００２７】
回転体の直径を９．６ｃｍとした場合円周長さはほぼ３０ｃｍとなり、円周の１２０度位置で１０ｃｍとなり、定形封書の封書部長さ（１０ｃｍ）の封印に好適する。
尚、図５は本考案の実施の形態１における接着テープ切断装置における仮止部材の取り付け位置を変更し、且つ前記支持本体の正面板，背面板を反転させ、更に接着テープを装着して共に回転する回転体をも同時に反転して装着させた状態の正面図を示したもので、左利用の使用者に好適する。
【符号の説明】
【００２８】
１０    接着テープ切断装置
１１    回転体
１２    支持本体
１２ａ  左側部
１２ｂ  右側部
１３    仮止部材
１４ａ  仮止部
１４    切断刃
１５    正面板
１６    背面板
１７    底板
１８    切欠部
１８ａ  端末部
Ｔ      接着テープ
１９      凹溝
１１ａ    中心軸
２０    計測位置表示針
２１    寸法計測表示部
【図１】
0003155757.tif 000003
【図２】
0003155757.tif 000004
【図３】
0003155757.tif 000005
【図４】
0003155757.tif 000006
【図５】
0003155757.tif 000007
【図６】
0003155757.tif 000008
【手続補正書】
【提出日】平成21年9月29日(2009.9.29)
【手続補正１】
【補正対象書類名】実用新案登録請求の範囲
【補正対象項目名】全文
【補正方法】変更
【補正の内容】
【実用新案登録請求の範囲】
【請求項１】
リール状に巻回されたれた接着テープを装着して共に回転する回転体と、この回転体を回転自在に支持する支持本体と、引出された前記接着テープの巻き戻しを防止するための前記接着テープの粘着面に接触する仮止部材と、この仮止部材に仮止めされた前記接着テープを引き出した状態で切断する切断刃とを有する接着テープカッタ装置において、
前記支持本体の正面板，背面板よりそれぞれ突出する前記回転体の中心軸に手動による回転が可能に且つ渋み状態に装着された前記接着テープの引き出し長さを測定する計測表示針と、前記正面板，背面板の外面に長さ計測用の寸法計測表示部を設けて、前記接着テープの引き出し寸法を計測することを可能にすると共に、前記仮止部材は前記正面板，背面板の左，右側先端位置のいずれか一方に装着自在に設置可能にしたことを特徴とする接着テープカッタ装置。
【請求項２】
前記正面板，背面板の外面に記載した長さ計測用の寸法計測表示部は、接着テープの使用寸法を図形で表示した寸法計測表示部であることを特徴とする前記請求項１に記載の接着テープカッタ装置。
【請求項３】
仮止部材は、前記正面板，背面板の左右両端の内面に形成したそれぞれ形成された凹溝のいずれか一方に、両縁に全長に亘り形成した凸条をスライド可能に係合することで装着位置の変更を可能にしたことを特徴とする請求項１又は２に記載の接着テープカッタ装置。
【請求項４】
前記接着テープを装着させて共に回転する回転体、該回転体を支持する前記支持本体並びに前記仮止部材は、切断刃を除き全て木製によって形成されたものであることを特徴とする請求項１記載の接着テープカッタ装置。
【請求項５】
前記正面板，背面側板外面に記載した長さ計測用の寸法計測表示部は、円形状に記載した定規部であることを特徴とする請求項２に記載の接着テープカッタ装置。
【手続補正２】
【補正対象書類名】明細書
【補正対象項目名】０００９
【補正方法】変更
【補正の内容】
【０００９】
上記目的を達成するために請求項１の考案は、リール状に巻回されたれた接着テープを装着して共に回転する回転体と、この回転体を回転自在に支持する支持本体と、引出された前記接着テープの巻き戻しを防止するための前記接着テープの粘着面に接触する仮止部材と、この仮止部材に仮止めされた前記接着テープを引き出した状態で切断する切断刃とを有する接着テープカッタ装置において、前記支持本体の正面板，背面板よりそれぞれ突出する前記回転体の中心軸に手動による回転が可能に且つ渋み状態に装着された前記接着テープの引き出し長さを測定する計測表示針と、前記正面板，背面板の外面に長さ計測用の寸法計測表示部を設けて、前記接着テープの引き出し寸法を計測することを可能にすると共に、前記仮止部材は前記正面板，背面板の左，右側先端位置のいずれか一方に装着自在に設置可能にしたことを特徴とする。